(57)【要約】【課題】  簡略な構成の移動足場を実現する。【解決手段】  施工済みの躯体に水平移動自在に支持される足場本体５と、その水平移動を案内するガイド機構６からなる。足場本体は、鉛直姿勢で建物の壁面に近接配置されてその頂部が躯体に水平移動自在に支持され、その全体が吊り支持された状態で水平移動自在とされる。ガイド機構は、足場本体の底部にガイドレール１９を係合させることで足場本体の水平移動を案内しつつ建物に対して離接する方向の変位を拘束する。足場本体の頂部に建物側に延出する吊り支持部１５を設け、その吊り支持部に足場本体の荷重を支持しつつ床面上を転動する車輪１６と、壁面上を転動して足場本体の転倒を防止しつつ水平移動を案内するガイドローラ１７を備える。ガイド機構は、施工済みの階からブラケット２１を突出させてその先端部でガイドレールを支持する。【選択図】      図１
2005163355.tif 000002
【特許請求の範囲】
【請求項１】
建物の施工に際して設置される作業用の足場であって、
施工済みの躯体に対して水平移動自在に支持されて設置される足場本体と、足場本体の水平移動を案内するガイド機構からなり、
前記足場本体は、鉛直姿勢で建物の壁面に近接配置されてその頂部が施工済みの躯体に水平移動自在に支持されることにより、その全体が吊り支持された状態で建物の壁面に沿って水平移動自在とされ、
前記ガイド機構は、前記足場本体の底部にガイドレールを係合させることでその足場本体の水平移動を案内しつつ建物に対して離接する方向の変位を拘束する構成としたことを特徴とする水平移動足場。
【請求項２】
請求項１記載の水平移動足場であって、
足場本体の頂部には建物側に延出する吊り支持部を設け、その吊り支持部には、足場本体の荷重を支持しつつ施工済みの階の床面上を転動して水平移動させるための車輪と、施工済みの階の壁面上を転動して足場本体の転倒を防止しつつ水平移動を案内するためのガイドローラを備えたことを特徴とする水平移動足場。
【請求項３】
請求項１または２記載の水平移動足場であって、
ガイド機構は、施工済みの階から突出する状態で設けたブラケットの先端部でガイドレールを支持する構成としたことを特徴とする水平移動足場。
【発明の詳細な説明】
【技術分野】
【０００１】
本発明は、建物の施工に際して設置される作業用の足場に関する。
【背景技術】
【０００２】
この種の足場としては、枠組足場や単管足場を建物の周囲地盤から立ち上げるものが最も一般的であるが、これらの足場は作業対象箇所の全体にわたって固定的に設置されることが通常であることから、多量の足場資材を要するとともに、その組み立てや解体に多大の労力を要するものである。
【０００３】
そのため、足場を全体にわたって固定的に設けるのではなく所望の作業箇所に自由に移動できるように設けることも提案され、たとえば特許文献１や特許文献２には自立可能な移動足場を軌道上を走行させる構成のものが提案されている。
【特許文献１】特開平８−３０２９９１号公報
【特許文献２】特開２０００−２３４４３８号公報
【発明の開示】
【発明が解決しようとする課題】
【０００４】
上記のような従来の走行式の移動足場によれば、作業対象箇所の全体にわたって固定的に設ける場合に較べれば足場資材を大幅に節減できるのではあるが、その反面、移動足場を安定に移動させるための軌道の敷設とそのための整地を必要とする、移動足場を安定に自立させるためには充分な転倒防止策を講じる必要がある、転倒防止を充分に図りつつ移動させることは必ずしも容易ではなく、特に高層建物には適用し難い、移動足場を解体して軌道を撤去しないと建物周囲の外構工事に着手できない、といった問題があるので、広く普及するに至っていないのが実情である。
【０００５】
上記事情に鑑み、本発明は構成を充分に簡略化することができる有効な移動足場を提供することを目的としている。
【課題を解決するための手段】
【０００６】
請求項１の発明の水平移動足場は、施工済みの躯体に対して水平移動自在に支持されて設置される足場本体と、足場本体の水平移動を案内するガイド機構からなり、前記足場本体は、鉛直姿勢で建物の壁面に近接配置されてその頂部が施工済みの躯体に水平移動自在に支持されることにより、その全体が吊り支持された状態で建物の壁面に沿って水平移動自在とされ、前記ガイド機構は、前記足場本体の底部にガイドレールを係合させることで足場本体の水平移動を案内しつつ建物に対して離接する方向の変位を拘束する構成としたものである。
【０００７】
請求項２の発明の水平移動足場は、請求項１の発明の水平移動足場における足場本体の頂部に建物側に延出する吊り支持部を設け、その吊り支持部には、足場本体の荷重を支持しつつ施工済みの階の床面上を転動して水平移動させるための車輪と、施工済みの階の壁面上を転動して足場本体の転倒を防止しつつ水平移動を案内するためのガイドローラを備えた構成としたものである。
【０００８】
請求項３の発明の水平移動足場は、請求項１または２の発明の水平移動足場におけるガイド機構は、施工済みの階から突出する状態で設けたブラケットの先端部でガイドレールを支持する構成としたものである。
【発明の効果】
【０００９】
本発明の水平移動足場は、足場本体の頂部を施工済みの建物の躯体に対して水平移動自在に支持し、かつ足場本体の底部をガイド機構により支持しつつ水平移動を案内する構成であるので、足場本体を自ずと安定な鉛直姿勢で吊り支持でき、その状態のままで安定に水平移動させることが可能であり、したがって自立状態で走行させるようにしている従来の移動足場のような転倒防止策は不要であるし、移動足場を走行させるための軌道を地上部に敷設する必要もなく、また足場本体の下方において外構工事を同時に行うことも可能であるから、足場に係わる仮設工事の費用と手間を大きく軽減でき、工期短縮と工費削減に充分に寄与することができ、極めて有効である。
【００１０】
特に、足場本体の頂部に、施工済みの階の床面上と壁面上を転動する車輪とガイドローラを備えた吊り支持部を設けることにより、そのような吊り支持部を設けることのみで足場本体の全体を安定に吊り支持しつつ水平移動させることが可能であるから、足場本体を安定に支持しつつ移動させるための複雑な機構類は一切不要であり、移動足場の構成の簡略化と仮設工事のより一層の軽減を充分に実現することができる。
【００１１】
さらに、施工済みの階からブラケットを突出させてその先端部でガイドレールを支持することにより、ガイド機構の設置や解体あるいは盛り替えも容易に行うことができる。
【発明を実施するための最良の形態】
【００１２】
以下、本発明の一実施形態を説明するが、以下の実施形態はあくまで本発明を実施するうえで好適な一例に過ぎず、本発明は以下の実施形態に限定されるものでは勿論ない。
【００１３】
図１〜図７に示す実施形態の水平移動足場は、１階が大断面の柱１によるピロティとされた５階建ての建物への適用例であって、各階の柱２、梁３、スラブ４からなる躯体が屋上階まで施工された後に、外壁廻りの各種作業を行うための足場を躯体に対して水平移動自在に支持して２階〜５階の範囲にわたって設置するようにしたものである。
【００１４】
本実施形態の水平移動足場は、図１〜図２に示すように、鉛直姿勢で建物の壁面に近接配置されてその頂部が屋上階に支持される足場本体５と、その足場本体５の底部を支持するガイド機構６からなる。
【００１５】
足場本体５は、所定規格のパイプ材からなる縦材７、横材８、斜材９、ブレース１０を縦横に連結して組み立てることで全体として２階から５階までの高さに相当する矩形断面のトラス状のものとされ、その内側には要所に足場板１１やタラップ１２が取り付けられ、外側や底部には養生ネット１３が取り付けられた構成のものである。
【００１６】
この足場本体５の頂部には、屋上階のパラペット１４を跨ぐように建物側に延出している吊り支持部１５が設けられ、その吊り支持部１５の下部には、この足場本体５全体の荷重を支持しつつ屋上面を転動する車輪１６（図５（ａ）参照）と、パラペット１４の内壁面を転動するガイドローラ１７が設けられている。また、図５（ｂ）に示すように、足場本体５の底部にはガイド部材１８が下方に突出して設けられていて、それらガイド部材１８の間にガイド機構６を構成しているガイドレール１９（詳細後述）が設けられている。
【００１７】
これにより、足場本体５はパラペット１４により転落が防止されつつ、その全体が屋上面を吊り支持面として水平移動可能に吊り支持された状態で設置され、屋上において作業員が吊り支持部１５を横方向に押し引きすることで、その足場本体５の全体をパラペット１４の内壁面を案内面としかつ足場本体５の底部をガイドレール１９により案内することで、鉛直姿勢のままで外壁面に沿って水平移動させることができるようになっている。また、ガイドレール１９とガイド部材１８との係合により足場本体５の前後方向（建物と離接する方向）の変位が拘束され、それにより風等による足場本体５の揺動が防止されるようになっている。なお、図５（ａ）に示したように、屋上面には車輪１６の内側へのズレを拘束するためのアングル材からなるストッパ２０が設けられていて、これによっても足場本体５の前後方向の変位が拘束されるようになっている。
【００１８】
ガイド機構６は、ピロティとなっている１階の天井部の梁３の下面側にブラケット２１が固定され、そのブラケット２１の先端部に上記のガイドレール１９が支持された構成となっている。すなわち、図６〜図７に示すように、梁３の下面には鋼材とパイプ材とによるフレーム２２が固定され、そのフレーム２２にブラケット２１の基端部が支持されることでブラケット２１の先端部が建物の外側に突出しており、そのブラケット２１の先端部にガイドレール１９が支持されて水平に設置されている。
【００１９】
梁３の下面に対するフレーム２２の固定は、図７（ａ）,（ｂ）に示すように、梁３の下面に溶接した取り付けプレート２３に対してけフレーム２２をピン２４により連結することで行うと良く、これにより梁３に対するフレーム２２の固定とその解体および必要に応じてその盛り替えを容易に行い得るものとなっている。また、図７（ｃ）に示すように、ガイドレール１９はブラケット２１の先端部に取り付けプレート２５を介して連結され、かつ図２（ａ）に示すように所定本数のガイドレール１９がジョイントプレート２６により連結されて、全体として所望長さのガイドレール１９が足場本体５の移動経路の直下の位置に設けられたものとなっている。
【００２０】
なお、上記の足場本体５や、ガイド機構６におけるガイドレール１９、ブラケット２１、フレーム２２等は、適宜の鋼材やパイプ材を用いて所望の形状、寸法に組み立てれば良いが、その材料としては建設資材として多用されている汎用のパイプ材（いわゆる単管）や、汎用の仮設資材である山留鋼材が好適に採用可能であり、それらを可及的にボルト締結により組み立てることとすれば、組み立てはもとより解体や組み替えも容易であるし、解体後には他への転用も可能である。
【００２１】
本実施形態の水平移動足場は、たとえば図３に示すような建物の施工に際して、（ａ）に示すように屋上から１台の足場本体５を吊り支持するとともに、（ｂ）に示すように低層部にはガイドレール１９を適宜間隔でブラケット２１により支持して設けることのみで、その足場本体５を図中の鎖線で示すようにガイドレール１９の設置範囲内において自由に水平移動させて所望位置に配置することができ、その１台の足場本体５のみで外壁面全体に対する各種の作業を効率的に行うことが可能である。
【００２２】
したがって本実施形態の水平移動足場によれば、壁面全体に固定的に足場を設ける場合に比較すれば足場資材を大幅に節減できることはもとより、従来の移動足場に比較してもその構成は格段に簡略なものであって充分なコストダウンを実現できるものである。
【００２３】
すなわち、前述したように従来一般の移動足場は自立させた状態で軌道上を走行させるものであることから、移動足場を安定に自立させつつ移動させるためには構成が複雑に成らざるを得ず、また安定性の確保が困難であることから高層建物には適用し難いのであるが、本実施形態の水平移動足場では足場本体５の全体をその頂部から吊り支持することから、足場本体５はその高さが充分に高くなっても転倒する懸念はなく自ずと安定な鉛直姿勢が維持されるし、足場本体５の底部をガイドレール１９により支持しつつ案内することでその揺動も確実に防止することができるので、安全性は自ずと確保され、高層建物にも充分に適用可能である。
【００２４】
また、本実施形態の水平移動足場では、屋上面を吊り支持面としかつパラペット１４の内壁面を案内面として、それらの表面上を車輪１６とガイドローラ１７が転動することで足場本体５を水平移動させるようにしたから、従来の移動足場のように周囲地盤に本格的な軌道を敷設したりそのための整地を行う必要は一切ない。勿論、足場本体５の全荷重は施工済みの躯体が負担するので、ガイド機構６は風等により足場本体５に加わる水平力のみを負担するものであれば良く、したがってガイド機構６も簡単に設置できるし、その設置コストは従来の移動足場における軌道の設置コストに較べれば大幅に軽減することができる。
【００２５】
さらに、この水平移動足場によれば、これを建物に設置するための準備工事や解体後の後工事（駄目工事）も殆ど必要としないし、従来においては移動足場を解体してその軌道を撤去してからでないと建物の周囲に対する外構工事に着手できないのに対し、本実施形態の水平移動足場によれば足場本体５の下方の地盤に対しては支障なく外構工事を実施できるから外構工事の早期着手も可能であるという利点もある。
【００２６】
以上で本発明の一実施形態を説明したが、本発明は上記実施形態に限定されることなく適宜の設計的変更が可能であり、特に足場本体５やガイド機構６の構成は、建物の規模や形態、この足場を用いて実施するべき作業の内容等の諸条件に応じて、所望の形態、寸法に設計すれば良い。たとえば、上記実施形態では足場本体５の高さを２階から５階までのものとしたが、足場本体５の高さは適宜増減して良いし、足場本体５の幅寸法も任意である。複数台の足場本体５を共通のガイド機構６により支持案内するようにしても良いことは言うまでもない。
【００２７】
また、上記実施形態では足場本体５を屋上階から吊り支持するものとしたが、それに限らず、足場本体５を水平移動可能に吊り支持できる場合には中間階から吊り支持することも可能であり、たとえば中間階のバルコニーから上記と同様にして吊り支持したり、あるいは中間階の外壁に設けられている連窓用の開口部から吊り支持部１５を建物内に進入させてその階のスラブを吊り支持面とし腰壁を案内面として足場本体５を吊り支持することも可能である。勿論、高層建物に適用するような場合には、所定高さの足場本体５およびそのガイド機構６を順次上層階へ盛り替えていくことも可能である。
【００２８】
さらに、上記実施形態のように足場本体５は作業員が人力で移動させることができる程度の自重と寸法としておくことが好ましいが、場合によっては足場本体５を移動させるための駆動機構を備えても良い。
【図面の簡単な説明】
【００２９】
【図１】本発明の実施形態である水平移動足場の概略構成を示す側面図である。
【図２】同、正面図であり、（ａ）は図１におけるIIａ−IIａ線視図、（ｂ）は図１におけるIIｂ−IIｂ線視図である。
【図３】同、建物への設置状況を示す配置図であり、（ａ）は屋上階の平面図、（ｂ）はガイドレール設置階の平面図である。
【図４】同、足場本体の平面図であり、図１におけるIV−IV線視図である。
【図５】同、要部詳細図であり、（ａ）は図１におけるVａ部の詳細図、（ｂ）は図１におけるVｂ部の詳細図である。
【図６】同、ガイド機構を示す図であり、（ａ）は側面図、（ｂ）は図６（ａ）におけるVIｂ−VIｂ線視図、（ｃ）は図６（ａ）におけるVIｃ−VIｃ線視図である。
【図７】同、要部詳細図であり、（ａ）は図６（ａ）におけるVIIａ部の詳細図、（ｂ）は図７（ａ）におけるVIIｂ−VIIｂ線視図、（ｃ）は図６（ｂ）におけるVIIｃ部の斜視図である。
【符号の説明】
【００３０】
５  足場本体
６  ガイド機構
１５  吊り支持部
１６  車輪
１７  ガイドローラ
１９  ガイドレール
２１  ブラケット
【図１】
2005163355.tif 000003
【図２】
2005163355.tif 000004
【図３】
2005163355.tif 000005
【図４】
2005163355.tif 000006
【図５】
2005163355.tif 000007
【図６】
2005163355.tif 000008
【図７】
2005163355.tif 000009